(57)【要約】    【課題】  笠ブロックを矢板の壁側に牽引する操作を簡単にする。    【解決手段】  笠ブロック１１は矢板１の壁に被せる。チェーン２２は、多数のリンクを紐状に繋いており、先端側を笠ブロックの前板１３の後面又は矢板１の壁の前面に連結し、中程を、矢板１の壁の前面又は前板１３の後面に取り付けた案内具２３に通し、末端側を、矢板１の壁の上端に取り付けた牽引具２４に連結する。牽引具２４は、チェーン２２の末端側を引き上げてチェーンを緊張し、前板１３を矢板１の壁側に牽引し、笠ブロックの底板１４の後面を矢板１の壁の前面に押し付ける。コンクリート３１は、前板１３と底板１４及び矢板１の壁との間に形成された中空部に投入し、チェーン２２や牽引具２４を埋没した状態で硬化する。【選択図】  図７
2006283329.tif 000002
【特許請求の範囲】
【請求項１】
多数の矢板を打ち込んで構成した矢板の壁に、プレキャストコンクリートの笠ブロックを被せ、笠ブロックと矢板の壁との間にコンクリートを詰め、矢板の壁の上部を被覆する笠コンクリートを構築する方法において、
笠ブロックは、天板、前板と底板を有しており、この笠ブロックは、天板を矢板の壁に載せ、前板を矢板の壁の前側に間隔を置いて配置し、底板の後面を矢板の壁の前面に重ね、
チェーンは、多数のリンクを紐状に繋いており、このチェーンは、先端側を笠ブロックの前板の後面又は矢板の壁の前面に連結し、中程を、矢板の壁の前面又は笠ブロックの前板の後面に取り付けた案内具に通して、矢板の壁と笠ブロックの前板との間に掛け渡し、末端側を、矢板の壁の上端に取り付けた牽引具に連結し、
牽引具は、チェーンの末端側を引き上げてチェーンを緊張し、笠ブロックの前板を矢板の壁側に牽引し、笠ブロックの底板の後面を矢板の壁の前面に押し付け、
コンクリートは、笠ブロックの前板と底板及び矢板の壁との間に形成された中空部に投入し、チェーンや牽引具を埋没した状態で硬化することを特徴とする笠コンクリートの構築方法。
【請求項２】
矢板の壁に被せるプレキャストコンクリートの笠ブロックと、笠ブロックを矢板の壁側に牽引する牽引機構からなり、
笠ブロックは、矢板の壁に載せる天板、矢板の壁の前側に間隔を置いて配置する前板と、矢板の壁の前面に後面を重ねる底板を有し、
牽引機構は、多数のリンクを紐状に繋いたチェーン、チェーンの先端側を連結する留め具、チェーンの中程を通す案内具と、チェーンの末端側を連結する牽引具からなり、
留め具は笠ブロックの前板の後面又は矢板の壁の前面に、案内具は矢板の壁の前面又は笠ブロックの前板の後面に取り付ける構成にし、
牽引具は、矢板の壁の上端に取り付ける基部に螺子軸を上下動可能に貫通し、基部上に突出した螺子軸の上部にナットを螺合し、ナットを基部上に載せ、基部下に突出した螺子軸の下端に留め具を取り付けており、留め具にチェーンの末端側を連結し、ナットと螺子軸との相対回転で螺子軸を上昇してチェーンを緊張し、笠ブロックの前板を矢板の壁側に牽引し、笠ブロックの底板の後面を矢板の壁の前面に押し付ける構成にしたことを特徴とする笠コンクリートの構築部材。
【請求項３】
矢板の壁と笠ブロックの前板との間に掛け渡すチェーンは、上側位置と下側位置の二重にし、
笠ブロックの前板と底板及び矢板の壁との間の中空部に投入するコンクリートは、水中コンクリートと普通コンクリートの二種にし、
水中コンクリートは、中空部の下部に充填し、下側位置のチェーンを埋没した状態で硬化し、
普通コンクリートは、水中コンクリートの硬化後、水中コンクリート上に充填し、上側位置のチェーンを埋没した状態で硬化することを特徴とする請求項１に記載の笠コンクリートの構築方法。
【発明の詳細な説明】
【技術分野】
【０００１】
本発明は、護岸用の矢板の壁に笠コンクリートを構築する技術に関する。
【背景技術】
【０００２】
護岸用の矢板は、岸辺に多数を隣接して打ち込み、土留め、水止めの壁を構成する。矢板の壁には、プレキャストコンクリートの笠ブロックを被せる。笠ブロックは、多数を隣接して配列する。笠ブロックと矢板の壁との間には、コンクリートを詰めて、矢板の壁の上部に笠コンクリートを構築する。
【０００３】
［特許文献１（特開２００１−１４０２３７号公報）の技術］
プレキャストコンクリートの笠ブロックは、天板、前板と底板からなる。この笠ブロックは、矢板の壁に被せる。すると、天板が矢板の壁の上に載り、前板が矢板の壁の前側、水側に配置され、底板の後面が矢板の壁の前面に重なる。笠ブロックの前板と矢板の壁は、間隔を置いて並列する。
【０００４】
次に、笠ブロックは、天板を取付具とボルトで矢板の壁の上端に連結する。また、前板の後面の取付具と、矢板の壁の前面の取付具との間には、ターンバックルを掛け渡す。ターンバックルは、回転操作で短縮し、笠ブロックの前板を矢板の壁側に牽引し、笠ブロックの底板の後面を矢板の壁の前面に押し付ける。すると、笠ブロックは、ターンバックルなどで矢板の壁に連結される。笠ブロックと矢板の壁との間には、中空部が形成される。
【０００５】
その中空部には、コンクリートを投入する。コンクリートは、ターンバックルなどを埋没した状態で硬化する。笠ブロックは、矢板の壁に結合される。
【０００６】
［特許文献２（特開平９−２８７１１８号公報）の技術］
永久型枠は、前板と底板からなる。この永久型枠は、矢板の壁の前側、水側に配置する。矢板の壁の前面に固定されたガイドバーには、ワイヤを通す。ワイヤは、先端を永久型枠の前板の後面に連結し、末端を上方に引っ張る。永久型枠は、矢板の壁側に引き寄せられる。ワイヤの末端は、ワイヤクリップで矢板の壁の上端に固定する。永久型枠は、前板の後面に突出した連結具を矢板の壁に溶接する。永久型枠と矢板の壁との間には、コンクリートを充填する。コンクリートは、ワイヤを埋没した状態で硬化する。永久型枠は、矢板の壁に結合される。
【０００７】
［特許文献３（特開平６−３０６８３２号公報）の技術］
板状の化粧パネルは、矢板の壁の前側、水側に配置する。矢板の壁の前面に固定されたリング金具には、ワイヤを通す。ワイヤの先端は、化粧パネルの裏面に連結する。ワイヤの末端は、センターホールジャッキで上方に引っ張る。化粧パネルは、矢板の壁側に引き寄せられる。ワイヤの末端は、アンカーグリップで矢板の壁の上端に固定する。化粧パネルは、上部をボルトで矢板の壁の上端に連結する。化粧パネルと矢板の壁との間には、水中コンクリートを充填する。水中コンクリートは、ワイヤを埋没した状態で硬化する。化粧パネルは、矢板の壁に結合される。
【０００８】
【特許文献１】特開２００１−１４０２３７号公報
【特許文献２】特開平９−２８７１１８号公報
【特許文献３】特開平６−３０６８３２号公報
【発明の開示】
【発明が解決しようとする課題】
【０００９】
特許文献１の技術においては、笠ブロックと矢板の壁との間にコンクリートを投入する際にそのコンクリートで笠ブロックが矢板の壁から離れるのを防止するため、笠ブロックの前板と矢板の壁との間にターンバックルを掛け渡してそれを回転操作する。ところが、笠ブロックの前板と矢板の壁との間は、狭いので、ターンバックルの掛け渡し作業や回転操作は、困難である。
【００１０】
特許文献２の技術では、永久型枠を矢板の壁側に引き寄せるに当り、矢板の壁に固定されたガイドバーにワイヤを通し、ワイヤの先端を永久型枠に連結し、ワイヤの末端を上方に引っ張ってワイヤクリップで矢板の壁の上端に固定する。特許文献３の技術では、化粧パネルを矢板の壁側に引き寄せるに当り、矢板の壁に固定されたリング金具にワイヤを通し、ワイヤの先端を化粧パネルに連結し、ワイヤの末端をセンターホールジャッキで上方に引っ張ってアンカーグリップで矢板の壁の上端に固定する。
【００１１】
特許文献１の技術において、笠ブロックを矢板の壁側に牽引するターンバックルに代えて、特許文献２、３の技術におけるワイヤを用いることに気付いた。ワイヤは、ターンバックルに比較して、狭い隙間で使用することができる。そこで、ワイヤ、正確にはワイヤロープを使用することを検討したところ、次のような課題を発見した。また、その課題を解決するための着想を得た。
【００１２】
１）ワイヤロープを使用すると、ワイヤロープの末端を上方に引っ張るため、センターホールジャッキのような牽引機器を現場に持ち込んで操作する必要がある。
【００１３】
ワイヤロープは、多数の素線を撚ってストランド、子縄を作り、複数の鋼の子縄を、繊維ロープを芯として撚り合わせている。このような構造のワイヤロープは、単純な鋼線とは異なり、引張力を増加していくと、初期には、伸びが非常に大きくなる。構造上の初期伸びがある。
【００１４】
また、ワイヤロープは、先端を笠ブロックや矢板の壁に連結するため、先端にアイと言われる輪を形成する。アイ付きのワイヤロープは、引張力を増加していくと、初期には、アイが扁平に潰されて、伸びが非常に大きくなる。
【００１５】
従って、ワイヤロープは、笠ブロックを投入コンクリートに抗して引っ張るのに必要な弾性収縮力を得るには、伸び量が非常に大きくなる。その結果、センターホールジャッキのような、引っ張り距離の長い牽引機器を現場に持ち込む必要がある。その上、牽引操作に多くの手間が掛かる。
【００１６】
ワイヤロープのこのような課題を解決するため、特許文献１の技術において、ターンバックルに代えて、ワイヤロープではなく、チェーンを用いることを着想した。
【００１７】
チェーンは、多数のリンクを紐状に繋いている。リンクは、鋼線を長円形状の輪状にしている。このような構造のチェーンは、引張力を増加していくと、許容荷重を超える前には、伸びが小さい。
【００１８】
図１は、許容荷重が同じであるチェーンとワイヤロープについて、引張荷重と伸び量の関係を示す線図である。ワイヤロープは、引張荷重が小さい初期に伸びが非常に大きい。チェーンは、初期に伸びがほとんどない。引張荷重が許容荷重になった時には、チェーンは、ワイヤロープよりも、伸び量が非常に小さい。その結果、チェーンは、引っ張り距離の長い牽引機器を必要としない。
【００１９】
２）チェーンは、端でも、中程でも、どの位置のリンクでも、フック状やシャックル状の留め具に引っ掛けて笠ブロックや矢板の壁に連結することができる。一方、ワイヤロープは、端にアイやクリップを取り付けて、その端が連結可能になる。アイやクリップを必要とする。その上、両端以外の途中は、連結し難い。
【００２０】
また、チェーンは、笠ブロックと矢板の壁との間のコンクリートに埋め込まれたとき、コンクリートとの連結力、アンカー力が高い。一方、ワイヤロープは、埋め込まれたコンクリートとのアンカー力が低い。また、チェーンは、ワイヤロープよりも、アンカー力が高い上、構造が簡単であり、安価である。
【課題を解決するための手段】
【００２１】
１）多数の矢板を打ち込んで構成した矢板の壁に、プレキャストコンクリートの笠ブロックを被せ、笠ブロックと矢板の壁との間にコンクリートを詰め、矢板の壁の上部を被覆する笠コンクリートを構築する方法において、
笠ブロックは、天板、前板と底板を有しており、この笠ブロックは、天板を矢板の壁に載せ、前板を矢板の壁の前側に間隔を置いて配置し、底板の後面を矢板の壁の前面に重ね、
チェーンは、多数のリンクを紐状に繋いており、このチェーンは、先端側を笠ブロックの前板の後面又は矢板の壁の前面に連結し、中程を、矢板の壁の前面又は笠ブロックの前板の後面に取り付けた案内具に通して、矢板の壁と笠ブロックの前板との間に掛け渡し、末端側を、矢板の壁の上端に取り付けた牽引具に連結し、
牽引具は、チェーンの末端側を引き上げてチェーンを緊張し、笠ブロックの前板を矢板の壁側に牽引し、笠ブロックの底板の後面を矢板の壁の前面に押し付け、
コンクリートは、笠ブロックの前板と底板及び矢板の壁との間に形成された中空部に投入し、チェーンや牽引具を埋没した状態で硬化することを特徴とする笠コンクリートの構築方法。
【００２２】
２）矢板の壁に被せるプレキャストコンクリートの笠ブロックと、笠ブロックを矢板の壁側に牽引する牽引機構からなり、
笠ブロックは、矢板の壁に載せる天板、矢板の壁の前側に間隔を置いて配置する前板と、矢板の壁の前面に後面を重ねる底板を有し、
牽引機構は、多数のリンクを紐状に繋いたチェーン、チェーンの先端側を連結する留め具、チェーンの中程を通す案内具と、チェーンの末端側を連結する牽引具からなり、
留め具は笠ブロックの前板の後面又は矢板の壁の前面に、案内具は矢板の壁の前面又は笠ブロックの前板の後面に取り付ける構成にし、
牽引具は、矢板の壁の上端に取り付ける基部に螺子軸を上下動可能に貫通し、基部上に突出した螺子軸の上部にナットを螺合し、ナットを基部上に載せ、基部下に突出した螺子軸の下端に留め具を取り付けており、留め具にチェーンの末端側を連結し、ナットと螺子軸との相対回転で螺子軸を上昇してチェーンを緊張し、笠ブロックの前板を矢板の壁側に牽引し、笠ブロックの底板の後面を矢板の壁の前面に押し付ける構成にしたことを特徴とする笠コンクリートの構築部材。
【００２３】
３）上記の笠コンクリートの構築方法において、
矢板の壁と笠ブロックの前板との間に掛け渡すチェーンは、上側位置と下側位置の二重にし、
笠ブロックの前板と底板及び矢板の壁との間の中空部に投入するコンクリートは、水中コンクリートと普通コンクリートの二種にし、
水中コンクリートは、中空部の下部に充填し、下側位置のチェーンを埋没した状態で硬化し、
普通コンクリートは、水中コンクリートの硬化後、水中コンクリート上に充填し、上側位置のチェーンを埋没した状態で硬化することを特徴とする。
【発明の効果】
【００２４】
矢板の壁の上端に取り付けた牽引具で、チェーンの末端側を引き上げてチェーンを緊張し、笠ブロックの前板を矢板の壁側に牽引し、笠ブロックの底板の後面を矢板の壁の前面に押し付ける。
【００２５】
チェーンは、ワイヤロープにおけるような初期伸びがなく、笠ブロックを投入コンクリートに抗して牽引するのに必要な力を得るのに、伸び量が少なくて済む。牽引距離の長い牽引機器を必要としない。牽引操作に多くの手間が掛からない。
【００２６】
また、チェーンは、所要長さより長いときには、末端のリンクではなく、末端の隣のリンクやその隣のリンクを、牽引具に連結する。牽引具は、チェーンの末端側を引き上げる距離が短くなり、操作時間が短くなる。
【００２７】
更に、チェーンは、笠ブロックと矢板の壁との間のコンクリートに埋め込まれたときに、ワイヤロープよりもアンカー力が高く、笠ブロック、コンクリートと矢板の壁の連結ないし結合が強固になる。また、チェーンは、ワイヤロープよりも、構造が簡単であり、安価である。
【発明を実施するための最良の形態】
【００２８】
［第１例（図２〜図７参照）］
矢板１の壁は、図２に示すように、岸辺に多数の鋼矢板１を隣接して打ち込み、護岸用の壁を構成している。この壁は、水側の前面と陸側の後面に、それぞれ、鋼矢板１の凹面と凸面が交互に配列されている。
【００２９】
矢板１の壁の上端には、笠ブロックの上下位置を決める位置決め具２を取り付ける。上下位置決め具２は、矢板１の上端に取り付ける基部３に螺子孔を上下方向に貫通し、螺子孔に螺子軸のボルト４を螺合して、ボルト４を基部３に上下方向に貫通している。ボルト４は、基部３上に突出した上端の頭部の上に受け片を取り付けている。受け片は、ボルト４を回転すると、上下動する。
【００３０】
また、矢板１の壁の上端には、笠ブロックの前後位置を決める位置決め具６を取り付ける。前後位置決め具６は、矢板１の上端に取り付ける基部７に螺子孔を前後方向に貫通し、螺子孔に螺子軸のボルト８を螺合して、ボルト８を基部７に前後方向に貫通している。ボルト８は、回転すると、前後動する。
【００３１】
笠ブロック１１は、プレキャストコンクリートブロックであり、図３に示すように、天板１２、前板１３と底板１４を一体成形している。その縦断面形状は、ほぼコの字形状である。天板１２は、複数の作業用の孔を貫通している。底板１４は、天板１２より前後方向が短く、後面を、矢板１の壁の前面と符合する凹凸面にしている。また、底板１４は、凹凸面の後面にパッキングを貼り付けている。
【００３２】
前板１３の後面は、下部に留め具２１を取り付けている。留め具２１は、フック形部材と螺子軸からなる。螺子軸は、前板１３に埋設されたインサートの螺子孔に螺合している。フック形部材は、前板１３の後面に突出している。
【００３３】
フック状の留め具２１には、チェーン２２の先端のリンクを引っ掛け、チェーン２２の先端を前板１３に連結する。チェーン２２は、図４に示すように、多数のリンクを紐状に繋いている。リンクは、鋼線を長円形状の輪状にしている。
【００３４】
一方、矢板１の壁の前面には、図２（ａ）に示すように、チェーン２２が通る案内具２３を取り付ける。案内具２３は、アイボルトであり、チェーン２２が通過可能な輪と螺子軸からなる。螺子軸は、矢板１の壁の前面に固定された基板の螺子孔に螺合する。
【００３５】
矢板１の壁の上端には、チェーン２２を牽引する牽引具２４を案内具２３の上方位置に取り付ける。牽引具２４は、図４に示すように、矢板１の上端に基部２５を嵌め込んで取り付け、基部２５にばか孔を上下方向に貫通し、ばか孔にボルトの螺子軸２６を通して、螺子軸２６を基部２５に上下方向に貫通している。螺子軸２６は、基部２５上に突出した上部にナット２７を螺合し、ナット２７を基部２５上に載せている。また、螺子軸２６は、基部２５下に突出した下端に、チェーン２２を連結する留め具２８を取り付けている。留め具２８は、シャックルであり、Ｕ字形部材の開口をボルトのピンで開閉する。シャックル２８は、Ｕ字形部材の閉鎖端を螺子軸２６の下端に連結している。
【００３６】
笠ブロック１１の上面には、図３（ａ）に鎖線で示すように、吊り索Ｒを連結し、チェーン２２の末端に紐ｒを連結する。紐ｒは、天板１２の作業用の孔に通す。笠ブロック１１とチェーン２２は、図５に示すように、持ち上げ、矢板１の壁の上方前側に配置する。そして、紐ｒとチェーン２２は、矢板１の壁前面に固定された輪状の案内具２３に挿入し、紐ｒを上方に引っ張り、チェーン２２の末端側を案内具２３の上方に配置し、チェーン２２の中程を案内具２３に通して折り曲げる。
【００３７】
次に、笠ブロック１１は、図６に示すように、矢板１の壁の上部に被せる。吊り索Ｒと紐ｒは、取り外す。天板１２は、矢板１の壁上端の上下位置決め具２に載せる。前板１３は、後面を矢板１の壁上端の前後位置決め具６に当てる。底板１４は、後面のパッキングを矢板１の壁の前面に当てる。天板１２は、後端が矢板１の壁の後方に突出する。牽引具２４は、天板１２の作業用の孔に臨む。チェーン２２は、末端のリンクを矢板１の壁上端の牽引具２４に連結する。チェーン２２にリンク１個分以上の緩みがあれば、末端のリンクではなく、その隣のリンク又は更に隣のリンクを牽引具２４に連結する。このチェーン２２は、牽引具２４と案内具２３との間で垂直、上下方向になり、案内具２３と留め具２１との間で水平、前後方向になる。矢板１の壁と笠ブロック１１の前板１３との間には、チェーン２２が掛け渡される。
【００３８】
牽引具２４において、ナット２７は、螺子軸２６に対して回転し、螺子軸２６の下端側に移動し、螺子軸２６と留め具２８を基部２５に対して上昇させる。すると、チェーン２２は、末端が引き上げられて、緊張し、前板１３を矢板１の壁側に牽引し、前板１３の後面を矢板１の壁上端の前後位置決め具６に押し付け、底板１４の後面のパッキングを矢板１の壁の前面に押し付ける。笠ブロック１１を矢板１の壁側に牽引する力は、その後のコンクリートの投入によって、前板１３が前後位置決め具６から離れるのを防止すると共に、底板１４が矢板１の壁から離れるのを防止するのに必要な値にする。
【００３９】
留め具２１、チェーン２２、案内具２３と牽引具２４からなる牽引機構は、１個の笠ブロック１１について、２個ずつ設けている。笠ブロック１１は、図示しないが、多数を隣接して同様に配列する。
【００４０】
笠ブロック１１の前板１３と底板１４及び矢板１の壁との間には、中空部が形成される。また、陸側に突出した天板１２の後端と地面との間には、図７に示すように、型枠Ｍを設置する。型枠Ｍと矢板１の壁との間には、中空部が形成される。
【００４１】
矢板１の壁の前側の中空部と後側の中空部には、天板１２の作業用の孔から生コンクリート３１を投入して充填する。このコンクリート３１は、留め具２１、チェーン２２、案内具２３、牽引具２４、上下位置決め具２と前後位置決め具６を埋没した状態で硬化する。笠ブロック１１と矢板１の壁の上部は、牽引機構２１〜２４とコンクリート３１で強固に連結される。笠ブロック１１とコンクリート３１及び矢板１の壁の上部は、一体化する。矢板１の壁の上部には、笠コンクリートが構築される。その後、型枠Ｍは、取り外す。笠コンクリートの陸側には、図示しないが、法面を形成する。
【００４２】
［第２例（図８参照）］
この例は、第１例において、矢板１の壁と笠ブロック１１の前板１３との間に掛け渡すチェーン２２を、上側位置と下側位置の二重にする。また、矢板１の壁の前側の中空部に投入するコンクリートは、水中コンクリートと普通コンクリートの二種にする。第１例におけるのと異なる点を中心に説明する。その他の点は、第１例におけるのと同様である。
【００４３】
矢板１の壁の前面は、図８に示すように、第１例における案内具２３に代えて、留め具４１を取り付けている。留め具４１は、フック形部材と螺子軸からなる。螺子軸は、矢板１の壁の前面に固定された基板の螺子孔に螺合している。
【００４４】
前板１３の後面は、第１例における留め具２１に代えて、第１案内具４２を取り付けている。また、第１案内具４２の上側位置には、第２案内具４３を取り付けている。第１案内具４２と第２案内具４３は、アイボルトであり、輪と螺子軸からなる。螺子軸は、前板１３に埋設されたインサートの螺子孔に螺合している。
【００４５】
矢板１の壁の前面は、留め具４１の上側位置に第３案内具４４を取り付けている。第３案内具４４は、アイボルトであり、輪と螺子軸からなる。螺子軸は、矢板１の壁の前面に固定された基板の螺子孔に螺合している。
【００４６】
チェーン２２は、先端を、矢板１の壁に固定された留め具４１に連結する。チェーン２２の末端は、第１案内具４２、第２案内具４３と第３案内具４４を順次通過し、矢板１の壁上端に取り付けられた牽引具２４に連結する。チェーン２２は、矢板１の壁と前板１３との間を上側位置と下側位置で、それぞれ、掛け渡され、水平に横断する。牽引具２４は、第１例におけるのと同様に操作し、チェーン２２を緊張し、笠ブロック１１を矢板１の壁側に所要の力で牽引する。
【００４７】
笠ブロック１１の前板１３と底板１４及び矢板１の壁との間に形成された中空部には、水中コンクリート４６を投入する。水中コンクリート４６は、中空部の下部のみに投入して充填し、留め具４１と第１案内具４２及びそれらに掛け渡された下側位置のチェーン２２を埋没する。この埋没状態で硬化する。すると、笠ブロック１１の下部、水中コンクリート４６と矢板１の壁は、強固に結合される。
【００４８】
水中コンクリート４６の硬化後、水中コンクリート４６上に普通コンクリート４７を投入して充填する。普通コンクリート４７は、第２案内具４３、第３案内具４４、第３案内具４４と牽引具２４、それらに掛け渡されたチェーン２２、上下位置決め具２と前後位置決め具６を埋没した状態で硬化する。第２案内具４３と第３案内具４４との間に掛け渡された上側位置のチェーン２２を埋没した状態で硬化する。笠ブロック１１、水中コンクリート４６と普通コンクリート４７及び矢板１の壁は、強固に結合されて一体化する。矢板１の壁の上部には、笠コンクリートが構築される。
【００４９】
１回目の水中コンクリート４６の投入時、水中コンクリート４６は、中空部の下部のみに充填するので、中空部の全部に充填するときに比較して、チェーン２２で笠ブロック１１を矢板１の壁側に牽引する力が小さくて済む。また、２回目の普通コンクリート４７の投入時、笠ブロック１１の下部が１回目の水中コンクリート４６で矢板１の壁に連結されているので、笠ブロック１１の下部がコンクリートで矢板１の壁に連結されていないときに比較して、チェーン２２で笠ブロック１１を矢板１の壁側に牽引する力が小さくて済む。
【００５０】
高価な水中コンクリート４６は、その必要性のある中空部の下部のみに詰められ、節約される。
【００５１】
［第３例（図９参照）］
この例は、第１例において、図９に示すように、笠ブロック１１に、型枠Ｍの代わりになる後板５１を追加して一体成形している。型枠Ｍを設置する手間と取り外す手間が掛からない。その他の点は、第１例におけるのと同様である。
【００５２】
［第４例（図１０参照）］
この例は、第１例において、笠ブロック１１を矢板１の壁側に牽引するチェーン２２を配置替えした。第１例におけるのと異なる点を中心に説明する。その他の点は、第１例におけるのと同様である。
【００５３】
矢板１の壁の前面は、図１０に示すように、第１例における案内具２３に代えて、留め具５６を取り付けている。留め具５６は、フック形部材と螺子軸からなる。螺子軸は、矢板１の壁の前面に固定された基板の螺子孔に螺合している。前板１３の後面は、第１例における留め具２１に代えて、案内具５７を取り付けている。案内具５７は、アイボルトであり、輪と螺子軸からなる。螺子軸は、前板１３に埋設されたインサートの螺子孔に螺合している。牽引具２４は、陸側に傾き、下端が案内具５７を指向する傾斜姿勢である。
【００５４】
チェーン２２は、先端を、矢板１の壁に固定された留め具５６に連結する。チェーン２２の末端は、案内具５７を通過し、矢板１の壁上端に傾斜して取り付けられた牽引具２４に連結する。牽引具２４は、第１例におけるのと同様に操作し、チェーン２２を緊張し、笠ブロック１１を矢板１の壁側に所要の力で牽引する。
【００５５】
［変形例］
１）上記の実施形態において、矢板１は、鋼矢板であるが、鋼管矢板又はコンクリート矢板にする。
２）上記の実施形態において、牽引機構の牽引具２４は、チェーン２２を緊張するため、ナット２７を螺子軸２６と留め具２８に対して回転するが、螺子軸をナットと留め具に対して回転する構造にする。
３）上記の実施形態において、牽引機構２１〜２４、４１〜４３、５６、５７は、１個の笠ブロック１１について、２個ずつ設けているが、１個ずつ又は３個ずつ若しくは４個ずつ設ける。
【図面の簡単な説明】
【００５６】
【図１】チェーンとワイヤロープについて引張荷重と伸び量の関係を示す線図。
【図２】本発明の実施形態の第１例における矢板の壁を示し、（ａ）は縦断側面図で（ｂ）のＡ−Ａ線断面図、（ｂ）は平面図。
【図３】同例における笠ブロックを示し、（ａ）は縦断側面図で（ｂ）のＢ−Ｂ線断面図、（ｂ）は平面図。
【図４】同例における牽引具の拡大側面図。
【図５】同例において笠ブロックを矢板の壁に被せる直前の状態を示す縦断側面図。
【図６】同例において笠ブロックを矢板の壁に被せた状態を示し、（ａ）は縦断側面図で（ｂ）のＣ−Ｃ線断面図、（ｂ）は平面図。
【図７】同例において笠ブロックと矢板の壁との間にコンクリートを詰めた状態を示す縦断側面図。
【図８】実施形態の第２例において笠ブロックと矢板の壁との間にコンクリートを詰めた状態を示す縦断側面図。
【図９】実施形態の第３例において笠ブロックと矢板の壁との間にコンクリートを詰めた状態を示す縦断側面図。
【図１０】実施形態の第４例において笠ブロックと矢板の壁との間にコンクリートを詰めた状態を示す縦断側面図。
【符号の説明】
【００５７】
１  矢板、鋼矢板
２  上下位置決め具
３  上下位置決め具の基部
４  上下位置決め具の螺子軸、ボルト
６  前後位置決め具
７  前後位置決め具の基部
８  前後位置決め具の螺子軸、ボルト
１１  笠ブロック、プレキャストコンクリートブロック
１２  笠ブロックの天板
１３  笠ブロックの前板
１４  笠ブロックの底板
２１〜２４、４１〜４３、５６、５７  牽引機構
２１  牽引機構の留め具
２２  牽引機構のチェーン
２３  牽引機構の案内具、アイボルト
２４  牽引機構の牽引具
２５  牽引具の基部
２６  牽引具のボルト、螺子軸
２７  牽引具のナット
２８  牽引具の留め具、シャックル
３１  コンクリート
Ｍ  型枠
４１  牽引機構の留め具
４２  牽引機構の第１案内具、アイボルト
４３  牽引機構の第２案内具、アイボルト
４４  牽引機構の第３案内具、アイボルト
４６  水中コンクリート
４７  普通コンクリート
５１  笠ブロックの後板
５６  牽引機構の留め具
５７  牽引機構の案内具、アイボルト
【図１】
2006283329.tif 000003
【図２】
2006283329.tif 000004
【図３】
2006283329.tif 000005
【図４】
2006283329.tif 000006
【図５】
2006283329.tif 000007
【図６】
2006283329.tif 000008
【図７】
2006283329.tif 000009
【図８】
2006283329.tif 000010
【図９】
2006283329.tif 000011
【図１０】
2006283329.tif 000012